(57)【要約】【課題】各ユーザにとって利用価値の高い映像コンテンツを推奨して、映像コンテンツの利用を促進する。【解決手段】映像コンテンツの録画予約に関する録画予約データを受け付ける録画予約受付部１１と、録画予約データを記憶する録画予約記憶部２１と、第１のユーザの識別情報と、第１のユーザが録画予約を参照する第２のユーザの識別情報とを対応づけた参照情報を記憶する参照情報記憶部２３と、参照情報に基づいて、録画予約記憶部２１に記憶されている第２のユーザの録画予約データを参照して、第１のユーザの録画予約データを設定する参照予約部１５と、参照予約部１５が設定した録画予約データを第１のユーザのユーザ装置へ出力する参照予約通知部１７と、を備える。【選択図】図１
2011166622.tif 000002
【特許請求の範囲】
【請求項１】
ユーザの識別情報及び映像コンテンツの識別情報を含む映像コンテンツの録画予約に関する録画予約データを受け付ける受付手段と、
前記受付手段が受け付けた録画予約データを記憶する予約データ記憶手段と、
第１のユーザの識別情報と、前記第１のユーザが録画予約を参照する第２のユーザの識別情報とを対応づけた参照情報を記憶する参照情報記憶手段と、
前記参照情報に基づいて、前記予約データ記憶手段に記憶されている前記第２のユーザの録画予約データを参照して、前記第１のユーザの録画予約データを設定する予約設定手段と、
前記予約設定手段が設定した録画予約データを前記第１のユーザのユーザ装置へ出力する出力手段と、を備える映像コンテンツの録画予約管理装置。
【請求項２】
前記出力手段は、前記第１のユーザの録画装置へ、前記録画予約データに基づく録画予約指示を出力する、または、前記第１のユーザの端末装置へ、前記録画予約データに基づく録画予約通知を出力する、の少なくともいずれか一方を行う請求項１記載の映像コンテンツの録画予約管理装置。
【請求項３】
前記第１のユーザから前記第２のユーザに対して参照情報の設定可否を照会し、前記照会に対して前記第２のユーザが参照情報の設定を許可したときに前記参照情報を設定する参照情報設定手段をさらに備える、請求項１または２に記載の映像コンテンツの録画予約管理装置。
【請求項４】
前記参照情報には、さらに映像コンテンツのジャンルを含み、
前記予約設定手段は、第２のユーザの録画予約データから前記参照情報に含まれているジャンルの映像コンテンツの識別情報を抽出し、前記抽出した映像コンテンツの識別情報を含む、前記第１のユーザの録画予約データを設定する、請求項１〜３のいずれかに記載の映像コンテンツの録画予約管理装置。
【請求項５】
前記参照情報には、それぞれ優先順位が付された複数の第２のユーザの識別情報が含まれていて、かつ、前記予約データ記憶手段に記憶されている、前記複数の第２のユーザの録画予約データに係る複数の映像コンテンツが競合する場合は、
前記予約設定手段は、前記優先順位に応じて一の第２のユーザの識別情報を選択し、前記選択した識別情報に係る第２のユーザの録画予約データに基づいて前記第１のユーザの録画予約データを設定する、請求項１〜４のいずれかに記載の映像コンテンツの録画予約管理装置。
【請求項６】
コンピュータが、
ユーザの識別情報及び映像コンテンツの識別情報を含む映像コンテンツの録画予約に関する録画予約データを受け付けるステップと、
前記受け付けた録画予約データを予約データ記憶手段に記憶するステップと、
第１のユーザの識別情報と、前記第１のユーザが録画予約を参照する第２のユーザの識別情報とを対応づけた参照情報に基づいて、前記予約データ記憶手段に記憶されている前記第２のユーザの録画予約データを参照して、前記第１のユーザの録画予約データを設定するステップと、
前記設定した前記第１のユーザの録画予約データを前記第１のユーザのユーザ装置へ出力するステップと、を行う映像コンテンツの録画予約管理方法。
【請求項７】
映像コンテンツの録画予約を管理するためのコンピュータプログラムであって、
コンピュータに実行されると、
ユーザの識別情報及び映像コンテンツの識別情報を含む映像コンテンツの録画予約に関する録画予約データを受け付けるステップと、
前記受け付けた録画予約データを予約データ記憶手段に記憶するステップと、
第１のユーザの識別情報と、前記第１のユーザが録画予約を参照する第２のユーザの識別情報とを対応づけた参照情報に基づいて、前記予約データ記憶手段に記憶されている前記第２のユーザの録画予約データを参照して、前記第１のユーザの録画予約データを設定するステップと、
前記設定した前記第１のユーザの録画予約データを前記第１のユーザのユーザ装置へ出力するステップと、が行われるコンピュータプログラム。
【発明の詳細な説明】
【技術分野】
【０００１】
本発明は、映像コンテンツを推奨する情報をユーザへ提供して、映像コンテンツの利用を促進するための技術に関し、特に、各ユーザにとって利用価値の高い映像コンテンツを推奨する技術に関する。
【背景技術】
【０００２】
例えば、特許文献１には、ＳＮＳ（ソーシャルネットワーキングサービス）などのネットワーク上のグループに加入すると、そのグループに加入している他のユーザから、様々な映像コンテンツの推薦情報が提供されるシステムが記載されている。
【先行技術文献】
【特許文献】
【０００３】
【特許文献１】特開２００８−１９１７６８号公報
【発明の概要】
【発明が解決しようとする課題】
【０００４】
しかしながら、特許文献１のシステムの場合、グループに属するユーザ数が増加すると、一人のユーザが受信する推薦情報もそれに連れて増大する。推薦情報が多くなり過ぎると、ユーザは情報過多の状態となり、受け取った推薦情報の中から自分にとって本当に必要な情報を選択することが難しくなる。その結果、かえって映像コンテンツの利用が阻害される。
【０００５】
そこで、本発明の目的は、各ユーザにとって利用価値の高い映像コンテンツを推奨して、映像コンテンツの利用を促進することである。
【課題を解決するための手段】
【０００６】
本発明の一つの実施態様に従う映像コンテンツの録画予約管理装置は、ユーザの識別情報及び映像コンテンツの識別情報を含む映像コンテンツの録画予約に関する録画予約データを受け付ける受付手段と、前記受付手段が受け付けた録画予約データを記憶する予約データ記憶手段と、第１のユーザの識別情報と、前記第１のユーザが録画予約を参照する第２のユーザの識別情報とを対応づけた参照情報を記憶する参照情報記憶手段と、前記参照情報に基づいて、前記予約データ記憶手段に記憶されている前記第２のユーザの録画予約データを参照して、前記第１のユーザの録画予約データを設定する予約設定手段と、前記予約設定手段が設定した録画予約データを前記第１のユーザのユーザ装置へ出力する出力手段と、を備える。
【０００７】
好適な実施態様では、前記出力手段は、前記第１のユーザの録画装置へ、前記録画予約データに基づく録画予約指示を出力するようにしてもよい。
【０００８】
好適な実施態様では、前記出力手段は、前記第１のユーザの端末装置へ、前記録画予約データに基づく録画予約通知を出力するようにしてもよい。
【０００９】
好適な実施態様では、前記第１のユーザから前記第２のユーザに対して参照情報の設定可否を照会し、前記照会に対して前記第２のユーザが参照情報の設定を許可したときに前記参照情報を設定する参照情報設定手段をさらに備えてもよい。
【００１０】
好適な実施態様では、前記参照情報には、さらに映像コンテンツのジャンルを含み、前記予約設定手段は、第２のユーザの録画予約データから前記参照情報に含まれているジャンルの映像コンテンツの識別情報を抽出し、前記抽出した映像コンテンツの識別情報を含む、前記第１のユーザの録画予約データを設定してもよい。
【図面の簡単な説明】
【００１１】
【図１】本発明の一実施形態に係る映像コンテンツの録画予約システムの構成図である。
【図２】録画予約記憶部２１のデータ構造の一例を示す。
【図３】参照情報記憶部２３のデータ構造の一例を示す。
【図４】サーバ１の処理手順を示すフローチャートである。
【図５】参照予約により録画予約レコード２１０ｄが追加された録画予約記憶部２１を示す。
【発明を実施するための形態】
【００１２】
以下、本発明の一実施形態に係る映像コンテンツの録画予約システムについて、図面を参照して説明する。
【００１３】
図１は、本実施形態に係る映像コンテンツの録画予約システムの構成図である。本システムは、テレビ番組等の映像コンテンツ（以下、単にコンテンツという場合がある）に関する、複数のユーザの録画予約を管理する。本システムでは、あるユーザ（参照ユーザ）に対して、他の特定のユーザ（被参照ユーザ）が録画予約した映像コンテンツを推奨することにより、映像コンテンツの利用を促進する。
【００１４】
本システムは、映像コンテンツの録画予約管理装置であるサーバ１と、複数のユーザ端末装置３，３，・・・及び複数のＳＴＢ（セットトップボックス）５，５，・・・とがネットワーク９を介して接続されている。
【００１５】
ユーザ端末装置３，３は、通信機能を有する端末装置であればよく、例えば、携帯電話機、携帯情報端末、あるいは汎用的なパーソナルコンピュータなどでもよい。ユーザ端末装置３，３は、液晶パネルなどの表示装置、及びプッシュボタン、ポインティングデバイス、あるいはタッチパネルなどの入力装置を有する。ユーザ端末装置３，３が携帯電話機などの場合は、無線基地局７との間で無線通信を行う。
【００１６】
ユーザ端末装置３は、ユーザから映像コンテンツの録画予約の入力を受け付けて、サーバ１へ通知する。例えば、ユーザ端末装置３は所定の入力画面を提供し、この入力画面においてユーザが所望するコンテンツの録画予約を受け付ける。ユーザ端末装置３は、このユーザのユーザ識別情報であるユーザＩＤ及びユーザが所望するコンテンツの識別情報を含む録画予約データをサーバ１へ通知する。
【００１７】
また、ユーザ端末装置３は、サーバ１から参照予約の設定に関する通知を受ける。参照予約については後述する。
【００１８】
ＳＴＢ５，５，・・・は、各ユーザの宅内に設置されている。そして、ＳＴＢ５，５，・・・は、サーバ１からの指示あるいはユーザからの指示に従って、内蔵チューナを用いて映像コンテンツの受信及び録画（記憶装置への保存）を行う。さらに、ＳＴＢ５，５，・・・は、サーバ１からの指示あるいはユーザからの指示に従って、受信または録画した映像コンテンツを図示しないテレビ受像器へ出力して、映像コンテンツの再生を行う。なお、本実施形態では録画装置の一例としてＳＴＢを例にとって説明するが、ＳＴＢ以外にも、例えば、ＨＤＤレコーダ、録画機能付きテレビ受像器（ワンセグ受像器を含む）、及び録画機能付きＰＣ等でもよい。
【００１９】
例えば、ＳＴＢ５がユーザから映像コンテンツの録画予約の入力を受け付けると、そのユーザのユーザＩＤ及びユーザが指定したコンテンツの識別情報を含む録画予約データをサーバ１へ通知する。
【００２０】
また、ＳＴＢ５は、サーバ１から参照予約に基づく録画予約の指示を受け付けて、録画予約を行う。参照予約については後述する。
【００２１】
サーバ１は、例えば汎用的なコンピュータシステムにより構成され、以下に説明するサーバ１内の個々の構成要素または機能は、例えば、コンピュータプログラムを実行することにより実現される。このコンピュータプログラムは、コンピュータ読み取り可能な記録媒体に格納可能である。
【００２２】
サーバ１は、その内部の構成として、録画予約受付部１１と、参照情報設定部１３と、参照予約部１５と、録画可否判定部１６と、参照予約通知部１７と、録画予約記憶部２１と、参照情報記憶部２３とを備える。
【００２３】
録画予約受付部１１は、ユーザの識別情報及び映像コンテンツの識別情報を含む映像コンテンツの録画予約に関する録画予約データを受け付ける。例えば、録画予約受付部１１は、ユーザ端末装置３が受け付けた録画予約及びＳＴＢ５に設定された録画予約に関する録画予約データを受け付ける。
【００２４】
録画予約記憶部２１は、録画予約受付部１１が受け付けた録画予約データを記憶する。録画予約記憶部２１に記憶されている録画予約データは、ＳＮＳやマイクロブログなどのＷｅｂサービス上で、第三者が閲覧可能としてもよい。
【００２５】
図２は、録画予約記憶部２１のデータ構造の一例を示す。同図に示すように、録画予約記憶部２１は、複数の録画予約レコード２１０（２１０ａ〜ｃ）が格納される。各録画予約レコード２１０では、ユーザの識別情報であるユーザＩＤ２１１に対して、複数の個別の録画予約に係る個別予約データ２１３，２１３，・・・及び個別予約データ２１３，２１３，・・・に対するフラグ２１５，２１５，・・・が対応付けられている。
【００２６】
個別予約データ２１３，２１３，・・・には、録画を行う一つの映像コンテンツの識別情報が含まれる。ここで、映像コンテンツの識別情報は、例えば、各映像コンテンツにユニークに割り当てられたコンテンツＩＤ等であってもよい。あるいは、同図に示すような、放送日、放送局、及び時間帯など複数の項目の組み合わせであってもよい。また、個別予約データ２１３は、各映像コンテンツのジャンル、出演者等の属性情報を含んでもよい。
【００２７】
フラグ２１５，２１５，・・・は、各個別予約データ２１３，２１３，・・・が設定された経緯を示すフラグである。すなわち、ユーザＩＤ２１１に係るユーザ本人が設定した予約の場合、フラグ２１５は“０”がセットされる。後述するように、被参照ユーザの録画予約に基づいて設定された場合は、被参照ユーザの優先順位２３３（図３参照）が設定される。
【００２８】
参照情報設定部１３は、あるユーザが他のユーザの録画予約を参照して自らの録画予約を設定するための参照情報を設定する。たとえば、参照情報設定部１３は、参照情報に基づいて録画予約を行う参照ユーザ（第１のユーザ）から、録画予約を参照される被参照ユーザ（第２のユーザ）に対して参照情報の設定可否を照会する。この設定可否の照会は、例えば電子メールなどで行ってもよい。あるいは、ＳＮＳやマイクロブログにおける友達やフォローの関係をそのまま用いてもよい。参照情報設定部１３は、例えば、この照会に対して被参照ユーザが参照情報の設定を許可したときに、許可したユーザを被参照ユーザとして参照ユーザの参照情報を設定するようにしてもよいし、あるいは、許可を受けなくても設定可能としてもよい。
【００２９】
参照情報記憶部２３は、参照情報設定部１３が設定した参照情報を記憶する。
【００３０】
図３は、参照情報記憶部２３のデータ構造の一例を示す。同図に示すように、参照情報記憶部２３は、参照ユーザのユーザＩＤ（参照ユーザＩＤ）２３１と、優先順位２３３と、被参照ユーザ２３５と、フィルタ条件２３７とをデータ項目として有する。
【００３１】
被参照ユーザ２３５には、例えば、特定のユーザのユーザＩＤ（被参照ユーザＩＤ）が直接設定されてもよいし、あるいは、これ以外にも被参照ユーザＩＤを特定するための規則が設定されていてもよい。例えば、後者の例としては、「ブログランキング１位のユーザ」、あるいは、「同じ地域在住の○○（特定プロフィール）なユーザ」などでもよい。
【００３２】
優先順位２３３は、一人の参照ユーザが複数の被参照ユーザを設定しているときに、その複数の被参照ユーザ間の優先順位を示す。例えば、後述する参照予約では、優先順位２３３が上位の被参照ユーザの録画予約が優先される。優先順位２３３は、参照ユーザが任意に定めてもよい。あるいは、優先順位２３３は、被参照ユーザが被参照されているユーザ数（被参照ユーザ数）に応じて自動的に定まるようにしてもよい。例えば、非参照ユーザ数が多いユーザほど、優先順位２３３が高くなるようにしてもよい。同数の場合は参照ユーザが順位付けを行ってもよい。
【００３３】
フィルタ条件２３７は、参照予約をする際のフィルタリングの条件を示す。例えば、フィルタ条件２３７には、映像コンテンツのジャンル、あるいは放送局（チャンネル）を設定することができる。後述する参照予約において、被参照ユーザの録画予約のうち、フィルタ条件２３７に設定された条件に従う映像コンテンツが参照ユーザに録画予約される。
【００３４】
参照予約部１５は、参照情報記憶部２３の参照情報を参照し、被参照ユーザの録画予約に基づいて参照ユーザの録画予約を設定する参照予約を行う。例えば、参照予約部１５は、録画予約記憶部２１に記憶されている被参照ユーザ（第２のユーザ）の録画予約データを参照して、参照ユーザの録画予約を設定する。
【００３５】
例えば、参照予約部１５は、参照情報記憶部２３を参照して、参照ユーザＩＤ２３１ごとに以下の処理を行う。すなわち、参照予約部１５は、ある参照ユーザＩＤ２３１に対して設定されている被参照ユーザＩＤ２３５を特定する。参照予約部１５は、特定された被参照ユーザＩＤ２３５をキーにして、録画予約記憶部２１に記憶されている被参照ユーザの録画予約データを特定する。参照予約部１５は、この被参照ユーザの録画予約データから、個別予約データ２１３，２１３，・・・をフィルタ条件２３７に従って抽出する。例えば、フィルタ条件２３７としてあるジャンル（例えば「ドラマ」）が設定されていれば、被参照ユーザの録画予約データから、映像コンテンツのジャンルが一致する個別予約データ２１３のみが抽出される。あるいは、フィルタ条件２３７が「すべて」であれば、すべての個別予約データ２１３が抽出される。そして、参照ユーザＩＤ２３１をキーにして、抽出された個別予約データ２１３を、録画予約記憶部２１に記憶されている参照ユーザの録画予約データに、個別予約データ２１３として追加する。
【００３６】
これにより、被参照ユーザが設定している録画予約を、参照ユーザの録画予約に同期させることができる。従って、例えば、自分が関心を寄せている友人あるいは著名人などを被参照ユーザとして設定しておくことにより、その人たちの録画予約が自らの録画予約に自動的に反映される。
【００３７】
なお、参照予約部１５は、録画予約記憶部２１に記憶されている、複数の被参照ユーザ（第２のユーザ）の録画予約データに係る複数の映像コンテンツが競合する場合は、優先順位に応じて一の識別情報を選択し、選択した識別情報に係る被参照ユーザ（第２のユーザ）の録画予約データを参照して、参照ユーザの録画予約データを設定する。つまり、参照予約部１５は、競合判定によって特定された一の被参照ユーザの録画予約データに基づいて参照予約を行う。この競合判定は、録画可否判定部１６が行う。
【００３８】
録画予約を設定する際、既に処理されていた録画予約や録画後視聴済みコンテンツが自動的に削除されるようにしてもよい。また、既に処理された録画予約の削除や、録画後視聴済みコンテンツの削除については、ユーザに対してメールなどによって通知されるようにしてもよい。
【００３９】
録画可否判定部１６は、参照予約部１５が参照ユーザの予約設定を行うときに、その予約設定を行うことが可能であるか否かを判定する。例えば、録画可否判定部１６は、参照ユーザのＳＴＢ５から記憶装置の空き容量、チューナ数及び既に設定されている録画予約スケジュールなどの情報を取得する。そして、録画可否判定部１６は、記憶装置の空き容量が予約設定に必要な容量に比べて十分であるか否かを判定する。録画可否判定部１６は、記憶装置の空き容量が十分であるときは、さらに、被参照ユーザの録画予約の時間帯に既に録画予約が設定されているか否かを判定する（競合判定）。競合する場合には、後述するようにフラグ２１５に基づいて予約の上書きをするか否かを判定し、上書きする場合は予約可、上書きしない場合は予約不可と判定する。
【００４０】
なお、録画可否判定部１６は、複数の予約が競合している場合であっても、競合している予約数がチューナ数を超えない範囲であれば、予約可と判定する。
【００４１】
参照予約通知部１７は、参照予約部１５が設定した録画予約データを参照ユーザ（第１のユーザ）のユーザ装置へ出力する。例えば、参照予約通知部１７は、参照ユーザのＳＴＢ５（録画装置）へ、参照予約部１５が設定した録画予約データに基づく録画予約指示を出力してもよい。あるいは、参照予約通知部１７は、参照ユーザのユーザ端末装置３へ、参照予約部１５が設定した録画予約データに基づく録画予約通知を出力してもよい。さらには、参照予約通知部１７は、参照ユーザのユーザ端末装置３へ、参照予約部１５が設定した録画予約データに基づく録画予約通知を出力してもよい。
【００４２】
なお、参照予約通知部１７は、例えば電子メールなどを用いてユーザ端末３へ録画予約データを通知してもよいし、これ以外にも、ユーザ端末装置３のＷｅｂブラウザがサーバ１へリクエストをして、録画予約データを取得するようにしてもよい。
【００４３】
ユーザ端末装置３が録画予約データに基づく録画予約通知を受け付けると、例えば、図示しないテレビ受像器、ＰＣ及びＨＤＤレコーダ等に内蔵された録画装置に対して、録画予約指示をしてもよい。
【００４４】
図４は、上記のような構成を備えるサーバ１が参照予約を行って、ＳＴＢ５へ録画予約指示を行うまでの処理手順を示すフローチャートである。
【００４５】
なお、以下の処理を行うための前提として、録画予約受付部１１がユーザ端末装置３，３，・・・及びＳＴＢ５，５，・・・から各ユーザの録画予約データを受け付けて、録画予約記憶部２１（図２参照）に格納している。さらに、参照情報設定部１３が、参照情報を設定し参照情報記憶部２３（図３参照）に格納している。以下、録画予約記憶部２１に図２に示すデータが記憶され、参照情報記憶部２３に図３に示すデータが記憶されている場合を例にとった具体的な処理とあわせて、このフローチャートに従って説明する。なお、これらの処理を行うタイミングは、本システムの提供者が任意に設定できるようにしてもよい（例えば、1日に1回など）。
【００４６】
まず、参照予約部１５が、参照情報記憶部２３に保存されている参照情報から、未処理の参照情報に係る参照ユーザＩＤ２３１を抽出する（Ｓ１００）。すべての参照情報に対する処理が終了し、未処理の参照情報が存在しないときは処理を終了する（Ｓ１００：Ｎｏ）。ここでは、図３に示す参照ユーザＩＤ“０００１”を対象としたときを例にとって、具体例に説明する。
【００４７】
未処理の参照情報に係る参照ユーザＩＤ２３１が抽出されたときは（Ｓ１００：Ｙｅｓ）、その参照ユーザＩＤ２３１に対する、未処理の被参照ユーザＩＤ２３５を抽出する（Ｓ１１０）。すべての被参照ユーザＩＤ２３５に対する処理が終了し、未処理の被参照ユーザＩＤ２３５が存在しないときは、ステップＳ１００へ戻る（Ｓ１１０：Ｎｏ）。図３の例では、被参照ユーザＩＤとして“１００１”、“１００５”及び“０００８”が順次抽出される。
【００４８】
未処理の被参照ユーザＩＤ２３５が抽出されたときは（Ｓ１１０：Ｙｅｓ）、録画予約記憶部２１を参照して、抽出された被参照ユーザＩＤ２３５の録画予約データを特定する。そして、その特定された録画予約データの中に、フィルタ条件２３７に合致する個別予約データ２１３が存在するか否かを判定する（Ｓ１２０）。図２及び図３の例では、被参照ユーザＩＤ“１００１”の録画予約データは録画予約レコード２１０ａである。録画予約レコード２１０ａには、フィルタ条件２３７に設定されている「８チャンネル」の映像コンテンツ（個別予約データ＃１）が含まれている。
【００４９】
フィルタ条件２３７に合致する映像コンテンツに関する個別予約データ２１３が存在しないときは、ステップＳ１１０へ戻る（Ｓ１２０：Ｎｏ）。
【００５０】
フィルタ条件２３７に合致する映像コンテンツに関する個別予約データ２１３が存在するときは（Ｓ１２０：Ｙｅｓ）、録画可否判定部１６が、ＳＴＢ５の記憶装置の空き容量が、その個別予約データ２１３の映像コンテンツの録画に十分の容量であるか否かを判定する（Ｓ１２５）。空き容量が十分である場合（Ｓ１２５：Ｙｅｓ）、録画可否判定部１６は、チューナ数を超えて、その個別予約データ２１３の録画日及び時間帯と競合する、参照ユーザの設定済みの個別予約データが存在するか否かを判定する（Ｓ１３０）。つまり、録画可否判定部１６は、ステップＳ１２０で抽出された映像コンテンツの放送日及び時間帯が、参照ユーザが既に予約を設定している日及び時間帯と重複しているか否かを判定する。上記の例では、ユーザＩＤ“０００１”の録画予約データに、録画予約レコード２１０ａの個別予約データ＃１の映像コンテンツの放送日及び時間帯（２０１０／１／１０、２０：００−２１：００）の録画予約が既に存在するか否かを判定する。
【００５１】
ここで、ステップＳ１２０で抽出された映像コンテンツの録画予約が可能でない録画予約済みの日及び時間帯と競合する場合には（Ｓ１３０：Ｙｅｓ）、参照予約部１５は、その既に登録されている録画予約を上書きするか否かを判定する（Ｓ１４０）。これは、設定済みの個別録画データ２１３のフラグ２１５と、参照情報における被参照ユーザＩＤ２３５の優先順位２３３とを比較し、優先順位２３３がフラグ２１５の値より小さいときに、上書き可とする。これにより、本人が設定したものが最も優先順位が高くなり、これ以降は優先順位２３３の高い被参照ユーザの予約が採用されることになる。
【００５２】
ステップＳ１２０で空き容量が十分でない場合（Ｓ１２０：Ｎｏ）、及びステップＳ１４０で上書き不可の場合は（Ｓ１４０：Ｎｏ）、ステップＳ１１０へ戻る。
【００５３】
ステップＳ１３０で、録画予約済みの時間帯と競合しないとき（Ｓ１３０：Ｎｏ）、及びステップＳ１４０で上書き可の場合（Ｓ１４０：Ｙｅｓ）、参照予約部１５は、参照予約を行う（Ｓ１５０）。すなわち、上記の例の場合、録画予約レコード２１０ａの個別予約データ＃１の映像コンテンツ（タイトル「○×」のドラマ）が、ユーザＩＤ“０００１”の個別予約データ２１３に追加登録される（図５参照）。
【００５４】
参照予約通知部１７は、ここで設定された個別予約データ２１３に基づいて、参照ユーザのＳＴＢ５へ録画予約を指示する（Ｓ１６０）。上記の例では、参照予約通知部１７は、ユーザＩＤ“０００１”のユーザのＳＴＢ５へタイトル「○×」のドラマの録画予約が指示される。
【００５５】
また、上記の例では、被参照ユーザ“１００５”、“０００８”の処理も行われる。つまり、ステップＳ１１０以降の処理が被参照ユーザ“１００５”に対して実行されると、被参照ユーザ“１００５”の個別予約データ２１３から、タイトル「ＪＫＬ」のニュースが参照予約される。
【００５６】
さらに、ステップＳ１１０以降の処理が被参照ユーザ“０００８”に対しても実行される。しかしながら、この場合には、被参照ユーザ“０００８”の録画予約に基づく参照予約を行われない。なぜならば、被参照ユーザ“０００８”のフィルタ条件２３７は「アニメ」であるから、ステップＳ１２０で、録画予約レコード２１０ｃのタイトル「ＰＰＰ」のアニメが対象となるが、このアニメは既に参照予約で録画予約されたタイトル「○×」のドラマと競合する。さらに、被参照ユーザ“０００８”の優先順位２３３は“３”であり、タイトル「○×」のドラマの録画予約のフラグ２１５が“１”であるから、ステップＳ１４０でタイトル「○×」のドラマが優先されることとなるからである。
【００５７】
この結果、図２に示す録画予約記憶部２１及び図３に示す参照情報記憶部２３の設定に基づいて図４の処理を実行すると、録画予約レコード２１０ｄが、新たに録画予約記憶部２１に追加され、図５に示すようになる。
【００５８】
このように、ユーザが自ら指定した被参照ユーザの録画予約だけを自らの録画予約に反映させることができる。この場合に、さらに、被参照ユーザごとにフィルタをかけることもできるので、必要以上に参照予約が増えてしまうことも避けることができる。
【００５９】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００６０】
１    サーバ
３，３，・・・  ユーザ端末装置
５，５，・・・  ＳＴＢ
９    ネットワーク
１１  録画予約受付部
１３  参照情報設定部
１５  参照予約部
１６  録画可否判定部
１７  参照予約通知部
２１  録画予約記憶部
【図１】
2011166622.tif 000003
【図２】
2011166622.tif 000004
【図３】
2011166622.tif 000005
【図４】
2011166622.tif 000006
【図５】
2011166622.tif 000007